(57)【要約】【課題】  保護カバーを開くことにより印字を停止した場合においても、電源の再供給時に画像不良がないように適切な再印字動作を行うことが可能な画像形成装置を提供する。【解決手段】  保護カバーの開閉に連動して印字ヘッド部への電力供給を遮断する電力遮断手段であるスイッチ２４と、保護カバーの開閉を検出する開閉検出部１３と、印字ヘッド駆動中に保護カバーが開いたことを開閉検出部１３が検出し、且つ電力遮断手段であるスイッチ２４によって印字ヘッド部への電源が遮断されるため印字動作が停止したとき、（Ａ）印字を停止した箇所を記憶する処理、（Ｂ）印字停止した理由を音声出力する処理、（Ｃ）印字停止した理由を表示出力する処理、のうち、少なくとも１つの処理を行う手段とを備える。【選択図】  図２
2006205530.tif 000002
【特許請求の範囲】
【請求項１】
保護カバーの開閉に連動して印字ヘッド部への電力供給を遮断する電力遮断手段と、前記保護カバーの開閉を検出する開閉検出手段と、印字ヘッド駆動中に前記保護カバーが開いたことを前記開閉検出手段が検出し、且つ前記電力遮断手段によって前記印字ヘッド部への電源が遮断されることにより印字動作が停止したとき、（Ａ）印字を停止した箇所を記憶する処理、（Ｂ）印字停止した理由を音声出力する処理および（Ｃ）印字停止した理由を表示出力する処理のうち、少なくとも１つの処理を行う手段とを備えていることを特徴とする画像形成装置。
【請求項２】
保護カバーの開閉に連動して印字ヘッド部への電力供給を遮断する電力遮断手段と、前記保護カバーの開閉を検出する開閉検出手段と、印字ヘッドの位置を検出するヘッド位置検出手段と、印字ヘッド駆動中に前記保護カバーが開いたことを前記開閉検出手段が検出し、前記電力遮断手段によって印字ヘッド部への電源が遮断され、且つ前記ヘッド位置検出手段によって前記印字ヘッドがホームポジションでない位置にあることを検出したとき、（Ｄ）印字ヘッドのホ−ムポジションへの移動を要請する音声を出力する処理、および（Ｅ）印字ヘッドのホ−ムポジションへの移動を要請する表示を出力する処理のうち、少なくとも１つの処理を行う手段とを備えていることを特徴とする画像形成装置。
【請求項３】
前記保護カバーが開いたことによる印字停止後、前記保護カバーが閉じ前記印字ヘッド部への電源が再投入されたとき、印字停止したページの未印字部分に印字を停止したことを印字する手段をさらに有することを特徴とする請求項１または２記載の画像形成装置。
【請求項４】
前記保護カバーが開いたことによる印字停止後、保護カバーが閉じ前記印字ヘッド部への電源が再投入されたとき、印字停止したページの未印字部分に印字を停止した理由を印字する手段をさらに有することを特徴とする請求項１または２記載の画像形成装置。
【請求項５】
前記保護カバーが開いたことによる印字停止後、前記保護カバーが閉じ前記印字ヘッド部への電源が再投入されたとき、印字停止したページの再印字を実施する旨を、印字停止したページの未印字部分に印字する手段をさらに有することを特徴とする請求項１または２記載の画像形成装置。
【請求項６】
印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動があるとき、その記録紙を排紙出力し、次の記録紙に印字停止したページを再印字する手段とをさらに有することを特徴とする請求項１から５のいずれか１項に記載の画像形成装置。
【請求項７】
印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続する手段とをさらに有することを特徴とする請求項１から５のいずれか１項に記載の画像形成装置。
【請求項８】
印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続するか否かを表示して確認する手段とをさらに有することを特徴とする請求項１から５のいずれか１項に記載の画像形成装置。
【請求項９】
印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続するか否かを音声で確認する手段とをさらに有することを特徴とする請求項１から５のいずれか１項に記載の画像形成装置。
【請求項１０】
印字中の画像が文字画像かイメージ画像かを認識する手段と、前記保護カバーが開いたことによる印字停止後、前記保護カバーが閉じ前記印字ヘッド部への電源が再投入され、印字部の記録紙の位置検出によって記録紙に移動がなく且つ印字中の画像が文字画像のとき、その記録紙の印字停止した箇所から印字を継続する一方、印字中の画像がイメージ画像のとき、その記録紙を排紙出力し、次の記録紙に印字停止したページを再印字する手段とをさらに有することを特徴とする請求項６から９のいずれか１項に記載の画像形成装置。
【請求項１１】
印字中の画像がモノクロ画像かカラー画像かを検出する手段と、前記保護カバーが開いたことによる印字停止後、前記保護カバーが閉じ前記印字ヘッド部への電源が再投入され、印字部の記録紙の位置検出によって記録紙に移動がなく且つ印字中の画像がモノクロ画像のとき、その記録紙の印字停止した箇所から印字を継続する一方、印字中の画像がカラー画像のとき、その記録紙を排紙出力し、次の記録紙に印字停止したページを再印字する手段とをさらに有することを特徴とする請求項６から９のいずれか１項に記載の画像形成装置。
【請求項１２】
装置本体に着脱可能となっている装置ユニット内の消耗品の履歴や特性を認識する消耗品検知手段と、前記保護カバーが開いたことによる印字停止後、前記保護カバーが閉じ前記印字ヘッド部への電源が再投入され、印字部の記録紙の位置検出によって記録紙に移動がないとき、前記消耗品検知手段からの消耗品情報に基づき、その記録紙の印字停止した箇所から印字を継続するか、次の記録紙に印字停止したページを再印字するかを選択する手段とをさらに有することを特徴とする請求項６から１１のいずれか１項に記載の画像形成装置。
【請求項１３】
装置本体に着脱可能となっている装置ユニット内の消耗品の使用量を認識する残量検知手段と、前記保護カバーが開いたことによる印字停止後、前記保護カバーが閉じ前記印字ヘッド部への電源が再投入され、印字部の記録紙の位置検出によって記録紙に移動がないとき、前記残量検知手段からの消耗品の残量情報に基づき、その記録紙の印字停止した箇所から印字を継続するか、次の記録紙に印字停止したページを再印字するかを選択する手段とをさらに有することを特徴とする請求項６から１１のいずれか１項に記載の画像形成装置。
【発明の詳細な説明】
【技術分野】
【０００１】
本発明は画像形成装置に関し、特に保護カバーの開閉に連動して印字ヘッド部への電力供給を遮断する機能を有した画像形成装置に関する。
【背景技術】
【０００２】
インクジェットプリンタ、インクジェット複写機、インクジェットファクシミリ、インクジェットＭＦＰ等の画像形成装置においては、記録紙が装置本体の内部で引掛る用紙ジャムを生じた場合、保護カバーを開いて記録紙の除去を行っている。しかしながら、印字ヘッド部には高い電圧が残存しているため、保護カバーを開いたときに感電する危険性がある。
【０００３】
特許文献１には、保護カバーを開いたときにおける安全性を確保する構造の画像形成装置が記載されている。この画像形成装置は、コンデンサを有した印字ヘッド部に電力を供給する電力供給部と、保護カバーの開閉に連動して印字ヘッド部と電力供給部との接続・遮断切換可能なプロテクションスイッチと、プロテクションスイッチにより電力供給部と印字ヘッド部とが遮断されたとき、印字ヘッド部のコンデンサに残存する電荷を放電する放電手段とを備えている。このような構造では、用紙ジャムを取り除くために保護カバーを開くと、コンデンサ中の電圧が放電するため、感電等を防止することが可能となっている。
【特許文献１】特開平５−１０４８２１号公報
【発明の開示】
【発明が解決しようとする課題】
【０００４】
特許文献１に記載の画像形成装置では、保護カバーを開いたときにおける感電等の防止を行うことが可能であるとしても、印字動作中に保護カバーが開いて電源が遮断され、その後、保護カバーを閉じて電源が再投入された場合における印字動作のフォロー手段がないため、再印字の際に画像不良が発生する問題を有している。
【０００５】
本発明は、このような問題点を考慮してなされたものであり、保護カバーを開くことにより印字を停止した場合においても、電源の再供給時に画像不良がないように適切な再印字動作を行うことが可能な画像形成装置を提供することを目的とする。
【課題を解決するための手段】
【０００６】
請求項１記載の発明は、保護カバーの開閉に連動して印字ヘッド部への電力供給を遮断する電力遮断手段と、前記保護カバーの開閉を検出する開閉検出手段と、印字ヘッド駆動中に前記保護カバーが開いたことを前記開閉検出手段が検出し、且つ前記電力遮断手段によって前記印字ヘッド部への電源が遮断されることにより印字動作が停止したとき、（Ａ）印字を停止した箇所を記憶する処理、（Ｂ）印字停止した理由を音声出力する処理および（Ｃ）印字停止した理由を表示出力する処理のうち、少なくとも１つの処理を行う手段とを備えていることを特徴とする。
【０００７】
請求項２記載の発明は、保護カバーの開閉に連動して印字ヘッド部への電力供給を遮断する電力遮断手段と、前記保護カバーの開閉を検出する開閉検出手段と、印字ヘッドの位置を検出するヘッド位置検出手段と、印字ヘッド駆動中に前記保護カバーが開いたことを前記開閉検出手段が検出し、前記電力遮断手段によって印字ヘッド部への電源が遮断され、且つ前記ヘッド位置検出手段によって前記印字ヘッドがホームポジションでない位置にあることを検出したとき、（Ｄ）印字ヘッドのホ−ムポジションへの移動を要請する音声を出力する処理、および（Ｅ）印字ヘッドのホ−ムポジションへの移動を要請する表示を出力する処理のうち、少なくとも１つの処理を行う手段とを備えていることを特徴とする。
【０００８】
請求項３記載の発明は、請求項１または２記載の発明において、前記保護カバーが開いたことによる印字停止後、前記保護カバーが閉じ前記印字ヘッド部への電源が再投入されたとき、印字停止したページの未印字部分に印字を停止したことを印字する手段をさらに有することを特徴とする。
【０００９】
請求項４記載の発明は、請求項１または２記載の発明において、前記保護カバーが開いたことによる印字停止後、保護カバーが閉じ前記印字ヘッド部への電源が再投入されたとき、印字停止したページの未印字部分に印字を停止した理由を印字する手段をさらに有することを特徴とする。
【００１０】
請求項５記載の発明は、請求項１または２記載の発明において、前記保護カバーが開いたことによる印字停止後、前記保護カバーが閉じ前記印字ヘッド部への電源が再投入されたとき、印字停止したページの再印字を実施する旨を、印字停止したページの未印字部分に印字する手段をさらに有することを特徴とする。
【００１１】
請求項６記載の発明は、請求項１から５のいずれか１項に記載の発明において、印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動があるとき、その記録紙を排紙出力し、次の記録紙に印字停止したページを再印字する手段とをさらに有することを特徴とする。
【００１２】
請求項７記載の発明は、請求項１から５のいずれか１項に記載の発明において、印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続する手段とをさらに有することを特徴とする。
【００１３】
請求項８記載の発明は、請求項１から５のいずれか１項に記載の発明において、印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続するか否かを表示して確認する手段とをさらに有することを特徴とする。
【００１４】
請求項９記載の発明は、請求項１から５のいずれか１項に記載の発明において、印字部の記録紙の有無を検出する手段と、印字部の記録紙の位置を検出する手段と、前記保護カバーが開いたことによる印字停止後、前記保護カバーが閉じ前記印字ヘッド部への電源が再投入され、且つ印字部の記録紙の位置検出によって記録紙に移動がないとき、その記録紙の印字停止した箇所から印字を継続するか否かを音声で確認する手段とをさらに有することを特徴とする。
【００１５】
請求項１０記載の発明は、請求項６から９のいずれか１項に記載の発明において、印字中の画像が文字画像かイメージ画像かを認識する手段と、前記保護カバーが開いたことによる印字停止後、前記保護カバーが閉じ前記印字ヘッド部への電源が再投入され、印字部の記録紙の位置検出によって記録紙に移動がなく且つ印字中の画像が文字画像のとき、その記録紙の印字停止した箇所から印字を継続する一方、印字中の画像がイメージ画像のとき、その記録紙を排紙出力し、次の記録紙に印字停止したページを再印字する手段とをさらに有することを特徴とする。
【００１６】
請求項１１記載の発明は、請求項６から９のいずれか１項に記載の発明において、印字中の画像がモノクロ画像かカラー画像かを検出する手段と、前記保護カバーが開いたことによる印字停止後、前記保護カバーが閉じ前記印字ヘッド部への電源が再投入され、印字部の記録紙の位置検出によって記録紙に移動がなく且つ印字中の画像がモノクロ画像のとき、その記録紙の印字停止した箇所から印字を継続する一方、印字中の画像がカラー画像のとき、その記録紙を排紙出力し、次の記録紙に印字停止したページを再印字する手段とをさらに有することを特徴とする。
【００１７】
請求項１２記載の発明は、請求項６から１１のいずれか１項に記載の発明において、装置本体に着脱可能となっている装置ユニット内の消耗品の履歴や特性を認識する消耗品検知手段と、前記保護カバーが開いたことによる印字停止後、前記保護カバーが閉じ前記印字ヘッド部への電源が再投入され、印字部の記録紙の位置検出によって記録紙に移動がないとき、前記消耗品検知手段からの消耗品情報に基づき、その記録紙の印字停止した箇所から印字を継続するか、次の記録紙に印字停止したページを再印字するかを選択する手段とをさらに有することを特徴とする。
【００１８】
請求項１３記載の発明は、請求項６から１１のいずれか１項に記載の発明において、装置本体に着脱可能となっている装置ユニット内の消耗品の使用量を認識する残量検知手段と、前記保護カバーが開いたことによる印字停止後、前記保護カバーが閉じ前記印字ヘッド部への電源が再投入され、印字部の記録紙の位置検出によって記録紙に移動がないとき、前記残量検知手段からの消耗品の残量情報に基づき、その記録紙の印字停止した箇所から印字を継続するか、次の記録紙に印字停止したページを再印字するかを選択する手段とをさらに有することを特徴とする。
【発明の効果】
【００１９】
本発明の画像形成装置によれば、印字ヘッド駆動中に保護カバーが開き印字ヘッド部への電源が遮断され印字ヘッドが停止すると、（Ａ）印字停止した箇所を記憶する処理、（Ｂ）印字停止した理由を音声出力する処理、（Ｃ）印字停止した理由を表示出力する処理のいずれか１つの処理が行われる。そして、（Ａ）の処理を行う場合には、印字ヘッド部への電源が再投入されたとき速やかに印字を継続でき印字時間を短縮できるとともに、記録紙の無駄を省き節約することができる。（Ｂ）の処理を行う場合には、印字停止した理由を即座に知ることができ、操作者の不安を取り除くことができる。（Ｃ）の処理を行う場合には、印字停止した理由を即座に知ることができ、操作者の不安を取り除くことができる。
【００２０】
また、本発明によれば、印字ヘッド駆動中に保護カバーが開き印字ヘッド部への電源が遮断され、且つ印字ヘッドがホームポジションでない位置で停止している場合には、（Ｄ）印字ヘッドのホ−ムポジションへの移動を要請する音声を出力する処理または（Ｅ）印字ヘッドのホ−ムポジションへの移動を要請する表示を出力する処理が行われる。そして、（Ｄ）の処理を行う場合には、印字ヘッドのホームポジションへの移動を音声で出力するため、印字ヘッドがキャッピング等のメンテナンスがされないまま放置されることを防ぐことができる。（Ｅ）の処理を行う場合には、印字ヘッドのホームポジションへの移動を要請する表示を出力するため、印字ヘッドがキャッピング等のメンテナンスがされないまま報知されることを防ぐことができる。
【発明を実施するための最良の形態】
【００２１】
本発明による画像形成装置の一実施形態について、図面に基づいて説明する。
【００２２】
図１は一実施形態の画像形成装置１のブロック図であり、システム制御部２、ＲＯＭ３、ＲＡＭ４、操作部５、表示部６、画像読取部７、画像記録部８、音声出力部９、コンピュータＩ／Ｆ（インターフェース）部１０、ネットワークＩ／Ｆ部１１、回線網Ｉ／Ｆ部１２、保護カバー開閉検出部１３、印字ヘッドのヘッド位置検出部１４、印字部記録紙有無検出部１５、印字部記録紙位置検出部１６、画像データ認識部１７、ＩＤチップＩ／Ｆ部１８、装置ユニット１９、消耗品残量検知部２２を備えている。
【００２３】
システム制御部２はＣＰＵ等から構成され画像形成装置１の各部を制御して所定の動作を実行する。ＲＯＭ３は画像形成装置１が動作するための基本プログラムが予め格納されている。ＲＡＭ４は画像形成装置１に固有な各種の情報を記憶したり、画像読取部７で読み込んだ画像情報、コンピュータから送られてきた画像情報、ネットワークを介して送られてきた画像情報や電話回線から送られてきたファクシミリ画像情報を記憶する。
【００２４】
操作部５は各種操作キーを備え、操作者が各種操作を行う。表示部６は画像形成装置の操作方法や動作状態を表示したり、操作者へのメッセージを表示する。画像読取部７は原稿画像を読み取って画像情報を出力する。画像記録部８は画像情報を被記録媒体に印字出力する。音声出力部９は操作者へのメッセージを音声出力する。コンピュータＩ／Ｆ部１０はＵＳＢ等により外部のコンピュータに接続するためのものである。ネットワークＩ／Ｆ部１１は画像形成装置１をローカルエリアネットワーク（ＬＡＮ）等のネットワークに接続するためのものであり、これにより画像形成装置１はネットワークを介して情報処理端末と情報のアクセスを行うことができる。回線網Ｉ／Ｆ部１２は画像形成装置１を電話回線網に接続するためのものである。
【００２５】
保護カバー開閉検出部１３は画像形成装置１の危険部位に手を触れさせないようにするための保護カバーの開閉を検出する。ヘッド位置検出部１４は印字ヘッドの位置がホームポジションにあるか否か、また印字ヘッド部への電源が遮断しときに停止した印字ヘッドの位置を検出する。印字部記録紙有無検出部１５は印字ヘッド部にセットされた記録紙の有無を検出する。印字部記録紙位置検出部１６は印字ヘッド部にセットされた記録紙の位置を検出する。画像デ−タ認識部１７は印字出力する画像がカラ−画像かモノクロ画像か、あるいは文字画像かイメ−ジ画像かなどを認識する。ＩＤチップＩ／Ｆ部１８は装置ユニット１９のＩＤチップ２０から各種情報を読み取ったり、ＩＤチップ２０に情報を書き込む。
【００２６】
装置ユニット１９は画像形成装置本体に着脱可能となっている。この装置ユニット１９は各種情報を記憶するＩＤチップ２０、消耗品２１を備えている。ＩＤチップ２０はコントロ−ラ及びＥＥＰＲＯＭとによって構成され、装置ユニット１９の各種情報や画像形成装置１の各種情報を記憶する。消耗品２１は印字に使用するインク等を示す。消耗品残量検知部２２は装置ユニット１９内の消耗品２１の残量を検出する。
【００２７】
図２は保護カバー開閉を検知するためのブロック図を示す。電力供給部２３は、画像形成装置に必要な電力を画像形成装置の各部へ供給する。スイッチ２４は保護カバーの開閉に連動して印字ヘッド部２５への電力供給を遮断する手段である。印字ヘッド部２５は電力供給部２３からの電力により駆動して印字動作を行う。
【００２８】
スイッチ２４に対し、保護カバー開閉検出部１３が印字ヘッド部２５と並列になるように接続されている。この保護カバー開閉検出部１３は、印字ヘッド部２５へ供給される電圧を検出可能な電圧レベルに分圧した信号レベルにより保護カバーの開閉を検出する。システム制御部２は、制御信号により印字ヘッド部２５を制御し、保護カバー開閉検出部１３からの検出信号により保護カバーの開閉を検知する。
【００２９】
図３は以上の構成に基づいた作動を示すフローチャートである。システム制御部２は、保護カバーが開けられたか否かを保護カバー開閉検出部１３から検出する（ステップＳ１）。そして、保護カバーが開けられると、保護カバーが開けられたとき印字動作中であったか否かを識別する（ステップＳ２）。印字中でなければ、そのまま待機状態を保持する。
【００３０】
印字動作中の場合には、印字停止したときのペ−ジ内の箇所や印字ヘッドの位置および印字中の画像情報を記憶する（ステップＳ３）。これにより、印字ヘッド部への電源が再投入されたとき速やかに印字を継続でき印字時間を短縮できるとともに、記録紙の無駄を省き節約することができる。
【００３１】
次に、印字停止した理由を音声出力部９から音声出力する（ステップＳ４）。この音声出力により、印字停止した理由を即座に知ることができ、操作者の不安を取り除くことができる。
【００３２】
また、印字停止した理由を表示部６へ表示する（ステップＳ５）。この表示により、印字停止した理由を即座に知ることができ、操作者の不安を取り除くことができる。
【００３３】
次に、印字ヘッドの位置がホームポジションにあるか否かを、ヘッド位置検出部１４が検出する（ステップＳ６）。印字ヘッド位置がホームポジションにない場合は、印字ヘッドをホームポジションへ移動するための要請メッセージを音声出力する（ステップＳ７）。従って、印字ヘッドがキャッピング等のメンテナンスがされないまま放置されることを防ぐことができる。
【００３４】
また、ヘッドをホームポジションへ移動するための要請メッセージを表示出力する（ステップＳ８）。これにより、上述と同様に、印字ヘッドがキャッピング等のメンテナンスがされないまま報知されることを防ぐことができる。なお、ヘッド位置がホームポジションにある場合には、依頼メッセージを音声出力したり、表示出力したりすることはない。
【００３５】
その後、保護カバー開閉検出部１３は保護カバーが再び閉じたか否か検出する（ステップＳ９）。保護カバーが閉じたことを検出すると、印字を途中で停止したペ−ジを、無条件で次の記録紙に再印字する設定になっているか否かをＲＡＭ４に設定されている情報から検出する（ステップＳ１０）。無条件で次の記録紙に再印字する設定になっている場合には、ステップＳ１１、Ｓ１２、Ｓ１３、Ｓ１４の処理を順次行う。
【００３６】
ステップＳ１１では、印字を停止したことを印字停止した記録紙の未印字部に印字出力する。この印字出力により、そのペ−ジが印字できなかったことを即座に知ることができるとともに、その記録紙が無効であることを知ることができる。
【００３７】
ステップＳ１２では、印字を停止した理由を印字停止した記録紙の未印字部に印字出力する。これにより、そのペ−ジが印字できなかった理由を即座に知ることができるとともに、その記録紙が無効であることを知ることができる。
【００３８】
ステップＳ１３では、次の記録紙に再印字することを印字停止した記録紙の未印字部に印字出力する。これにより、その記録紙が無効であり次の記録紙に再印字されることを即座に知ることができ、操作者に安心感を与えることができる。
【００３９】
ステップ１４では、印字停止した記録紙を排紙部に出力し、次の記録紙を印字部に移動させ、その記録紙に印字停止したペ−ジを再印字する。従って、記録紙が移動した状態で印字することによる画像不良を防ぐことができる。
【００４０】
ステップＳ１０において、印字を途中で停止したペ−ジを無条件で次の記録紙に再印字する設定となっていない場合には、保護カバーの開閉前後で記録紙の移動があった否かを印字部記録紙有無検出部１５および印字部記録紙位置検出部１６が検出する（ステップＳ１５）。記録紙の移動があれば、ステップＳ１４に移行して、即座に印字停止した記録紙を排紙出力し、次の記録紙を印字部に移動させ、その記録紙に印字停止したペ−ジを再印字する。
【００４１】
記録紙の移動がない場合には、再印字方法を自動選択するモ−ドにしているか否かをＲＡＭ４から判定する（ステップＳ１６）。自動選択モ−ドの場合には、印字停止した画像が文字画像か否か、モノクロ画像か否かを画像デ−タ認識部１７が検出する（ステップＳ１７及びＳ１８）。印字停止した画像がカラ−のイメ−ジ画像である場合には、ステップＳ１４に移行して、即座に印字停止した記録紙を排紙出力し、次の記録紙を印字部に移動させ、その記録紙に印字停止したペ−ジを再印字する。
【００４２】
カラ−のイメ−ジ画像以外の画像の場合には、装置ユニット１９のＩＤチップ２０に収められているインク履歴情報やインク残量情報をＩＤチップＩ／Ｆ部１８から取り込み（ステップＳ１９，Ｓ２０）、その情報から、印字停止した記録紙から継続して印字するか（ステップＳ２４）、印字停止した記録紙を排紙して次の記録紙に再印字するか（ステップＳ１４）の最適な再印字方法を判定する。この場合、インクの残量情報は、消耗品残量検知部２２で検出した情報がＩＤチップＩ／Ｆ部１８を介して装置ユニット１９のＩＤチップ２０に書き込まれるものである。これらの処理を行うことにより、消耗品の種類や特性、作成日や履歴等の情報から、印字停止した箇所からの印字を継続できるか否かを適切に判断し、適切な再印字を自動的に行うことができると共に、消耗品の残量から、次の記録紙から再印字を実施できるか否かを適切に判断するため、適切な再印字を自動的に行うことができる。
【００４３】
ステップＳ１６において、再印字方法を自動選択するモ−ドでない場合には、印字停止した記録紙に印字を継続してよいかどうかを確認するメッセージを音声出力および表示出力する（ステップＳ２１及びＳ２２）。これらの出力により、記録紙に印字を継続するか、新しい記録紙に再印字するかを操作者が選択することができる。
【００４４】
ステップＳ２３において、確認結果がＯＫのときは、印字停止した記録紙から継続して印字を開始する（ステップＳ２４）。確認結果がＯＫでなければ、印字停止した記録紙を排紙出力し、次の記録紙に再印字を実施する（ステップＳ１４）。
【００４５】
以上の構成において、装置ユニット１９をインクカートリッジとすることができ、インクカ−トリッジとすることにより消耗品の補充や交換がカ−トリッジごとに行うことができ便利となる。
【００４６】
また、印字出力する画像データとしては、コンピュータからのプリント出力デ−タ、画像読取部７で読み取ったコピー画像出力データ、ファクシミリ受信データあるいはネットワークからのプリント出力データとすることができる。そして、コンピュータからのプリント出力デ−タとした場合には、コンピュータの出力装置として使用することができ便利である。画像読取部７で読み取ったコピー画像出力データとした場合には、複写機として使用することができる。ファクシミリ受信データとした場合には、ファクシミリ装置として使用することができ、ネットワークからのプリント出力データとした場合には、ネットワークプリンタやネットワークファクシミリ装置として使用することができる。
【図面の簡単な説明】
【００４７】
【図１】本発明の一実施形態の全体を示すブロック図である。
【図２】保護カバーの開閉を検出するためのブロック図である。
【図３】作動を示すフローチャートである。
【符号の説明】
【００４８】
１    画像形成装置
２    システム制御部
７    画像読取部
８    画像記録部
９    音声出力部
１３    保護カバー開閉検出部
１４    ヘッド位置検出部
１５    印字部記録紙有無検出部
１６    印字部記録紙位置検出部
１７    画像データ認識部
１９    装置ユニット
２１    消耗品
２２    消耗品残量検知部
２３    電力供給部
２４    スイッチ
２５    印字ヘッド部
【図１】
2006205530.tif 000003
【図２】
2006205530.tif 000004
【図３】
2006205530.tif 000005